(57)【要約】【課題】建設現場等で資材の搬出入等に使用するクレーンの吊り治具で、躯体の上階などに張出部分があっても吊りワイヤーなどが接触する恐れがなく、吊り荷を吊っているときに吊り荷が移動する恐れがない吊り治具を提供する。【解決手段】吊りビーム２１の中央部上方から前方にハンガー金具２２を設け、吊りビーム２１のハンガー金具２２より後方の上方にワイヤー吊環を設け、ワイヤー吊環を吊りワイヤー１２で吊り、ハンガー金具２２を躯体１の上階３に載せてから横行トロリー３０を横行させるようにした。【選択図】        図１
2004155538.tif 000002
【特許請求の範囲】
【請求項１】
水平状態に吊り持ちされる吊りビームと、吊りビームを走行レールとして横行し建設資材等の荷を吊る横行トロリーと、横行トロリーを横行させる横行チェーンとからなる吊り治具において、吊りビームの中央部上方から前方にハンガー金具を設け、吊りビームのハンガー金具より後方の上方にワイヤー吊環を設け、ワイヤー吊環を吊りワイヤーで吊り、ハンガー金具を躯体の上階に載せてから横行トロリーを横行させるようにした吊り治具。
【請求項２】
横行チェーンを回行させる横行ウィンチを吊りビームの前方に設け、横行ウィンチの横行ロープ車又は横行ハンドルを回すことにより横行トロリーが吊りビームを横行する請求項１記載の吊り治具。
【請求項３】
吊り治具が空荷状態で、吊りビームを水平状態に保つバランスウェイトを吊りビームの後端に設け、ワイヤー吊環を空荷状態の吊り治具の重心位置に設けた請求項１又は２記載の吊り治具。
【発明の詳細な説明】
【０００１】
【発明の属する技術分野】
本発明は、建設現場等で資材の搬出入、およびカーテンウォール等の取り付けに使用するクレーンの吊り治具に関する。
【０００２】
【従来の技術】
【特許文献１】実公平４−３７１６８号公報
【０００３】
建設資材を躯体の各階に搬入する場合、躯体の上階などに張出部分があるとそれが障害となり、各階に搬入することが困難である。また、カーテンウォール等を躯体壁際に取り付ける場合、クレーンブームの先端部およびクレーンフック又は吊りワイヤーが躯体に接触し、危険である。
【０００４】
そこで、図１３に示すように、天秤方式の吊り治具６０の中央部を吊りワイヤー１２で吊り、吊り治具６０の前端に吊り荷４２を、後端に吊り荷４２の重さに釣り合うカウンターウェイト６１を配置し、躯体の各階に搬入する方法が一般的に知られている。
【０００５】
この天秤方式の吊り治具６０では、図１４に示すように、空荷のときにカウンターウェイト６１の重さにより吊り治具６０が傾き、作業性が悪い。また、重さの異なる吊り荷４２毎にカウンターウェイト６１の載せ替えが必要で、作業効率が悪い。また、吊り荷４２を搬入し吊り治具６０から外すと、吊り治具６０が急にカウンターウェイト６１側に傾き、建物の壁や躯体に接触する恐れがあり、危険である。
【０００６】
そこで、このカウンターウェイト６１を自動的に横行させて、吊り荷４２の重さに釣り合うようにする方法も提案されている。
【０００７】
しかし、天秤方式は吊り荷４２に見合うだけのカウンターウェイト６１を取り付けているために、吊り治具６０自体も大きく丈夫でなければならず、クレーンは吊り荷４２のほかにほぼ同じ重さのカウンターウェイト６１と重い吊り治具６０を吊り上げなくてはならず、使用クレーンの吊り能力に大きな影響を与える。
【０００８】
このことから、カウンターウェイト６１を使用せず、吊り治具の一端を躯体に載せてから、吊り荷を移動させて搬入する方法が提案されている。
【０００９】
吊り治具の一端を躯体に載せるものとして、搬入する階に吊り治具の前端からスタンドを立てるものでは、一対のスタンドの間を吊り荷が通ることになるため、スタンドの高さと巾により吊り荷の大きさが制限されてしまう。
【００１０】
また、搬入する階の天井から吊り治具の前端を吊るものでは、躯体の各階の天井に吊り治具を吊るための吊り具を装備しなければならず、資材の搬入のためだけにそのような装備をすることは現実的でない。
【００１１】
そこで、搬入する階の上階に吊り治具を載せるものが、実公平４−３７１６８号として提案されている。
【００１２】
この吊り治具は、側面視でコの字形を成すフレームの重心位置となる上辺部を吊りワイヤーで吊り、下辺部をレールとする滑動体を吊りワイヤーの直下に位置させて滑動体に吊り荷を吊るものである。そして、吊り荷を躯体の各階に搬入するとき、上辺部を躯体の上階に載せてから滑動体を移動させ、吊り荷を取り込むようにしたものである。
【００１３】
そのため、吊り荷を移動してもその荷重は躯体の上階が受け、吊り治具がバランスを失って傾くことがなく、吊り荷を吊り治具から外しても重心位置を吊りワイヤーが吊っているから傾くことがないものである。
【００１４】
【発明が解決しようとする課題】
上記の搬入する階の上階に吊り治具を載せるコの字形フレームによる従来技術においては、吊りワイヤーが重心位置となる上辺部を吊るため、上辺部を躯体の上階に載せたとき吊りワイヤーが躯体に接近する。そのため、躯体の上階などに張出部分があるとそれが障害となり搬入することができない。
【００１５】
また、滑動体が自由に移動するため、吊り荷を吊っているときにバランスを失うと吊り治具が傾き、滑動体が急に移動しストッパに衝突する恐れがあり、危険である。
【００１６】
また、吊り荷を取り込むときに、躯体外に位置する吊り荷に対して身をのり出して人手で引き込まなくてはならず、危険である。
【００１７】
そこで本発明では、躯体の上階などに張出部分があっても吊りワイヤーなどが接触する恐れがなく、吊り荷を吊っているときに吊り荷が移動する恐れがなく、躯体内からの操作で吊り荷を躯体内に搬入できる吊り治具を提供する事を目的とする。
【００１８】
【課題を解決するための手段】
請求項１の発明の吊り治具は、水平状態に吊り持ちされる吊りビーム２１と、吊りビーム２１を走行レールとして横行し建設資材等の荷４２を吊る横行トロリー３０と、横行トロリー３０を横行させる横行チェーン３１とからなる吊り治具２０において、吊りビーム２１の中央部上方から前方にハンガー金具２２を設け、吊りビーム２１のハンガー金具２２より後方の上方にワイヤー吊環２４，２４を設け、ワイヤー吊環２４，２４を吊りワイヤー１２で吊り、ハンガー金具２２を躯体１の上階３に載せてから横行トロリー３０を横行させるようにしたものである。
【００１９】
請求項２の発明の吊り治具は、横行チェーン３１を回行させる横行ウィンチ３２を吊りビーム２１の前方に設け、横行ウィンチ３２の横行ロープ車３３又は横行ハンドル３４を回すことにより横行トロリー３０が吊りビーム２１を横行するものである。
【００２０】
請求項３の発明の吊り治具は、吊り治具２０が空荷状態で、吊りビーム２１を水平状態に保つバランスウェイト２３を吊りビーム２１の後端に設け、ワイヤー吊環２４，２４を空荷状態の吊り治具２０の重心位置に設けたものである。
【００２１】
【発明の実施の形態】
請求項１の発明では、吊りビーム２１の中央部上方から前方にハンガー金具２２を設け、吊りビーム２１のハンガー金具２２より後方の上方にワイヤー吊環２４，２４を設けたから、ハンガー金具２２を躯体１の上階３に載せたとき、吊りワイヤー１２等が躯体１に接近しない。
【００２２】
また、横行トロリー３０を横行させる横行チェーン３１により、横行トロリー３０は所定位置に固定される。
【００２３】
また、ハンガー金具２２を躯体１の上階３に載せてから横行トロリー３０を横行させるようにしたから、吊り治具２０が傾くことがない。
【００２４】
請求項２の発明では、横行チェーン３１を回行させる横行ウィンチ３２を吊りビーム２１の前方に設け、横行ウィンチ３２の横行ロープ車３３又は横行ハンドル３４を回すことにより横行トロリー３０が吊りビーム２１を横行するから、吊りビーム２１の前方の横行ロープ車３３又は横行ハンドル３４を回すと吊り荷４２が移動する。
【００２５】
請求項３の発明では、吊り治具２０が空荷状態で、吊りビーム２１を水平状態に保つバランスウェイト２３を吊りビーム２１の後端に設け、ワイヤー吊環２４，２４を空荷状態の吊り治具２０の重心位置に設けたから、更に吊りワイヤー１２等が躯体１から離れ、吊り荷４２を吊り治具２０から外しても重心位置を吊りワイヤー１２が吊っているため傾くことがない。
【００２６】
【実施例】
以下、本発明の一実施例につき図面を参照して説明する。
【００２７】
図１に示すのは建築中の躯体１に建設資材等の吊り荷４２を搬入する場合であり、クレーンブーム１０の先端から垂下されたクレーンフック１１に吊り治具２０を吊りワイヤー１２で吊り持ちする。
【００２８】
吊り治具２０には、水平状態に吊り持ちされる吊りビーム２１と、吊りビーム２１を走行レールとして横行し建設資材等の吊り荷４２を吊る横行トロリー３０と、横行トロリー３０を横行させる横行チェーン３１とを設ける。
【００２９】
吊りビーム２１は断面Ｈ形の細長い形状で、その平滑な面を上下として配置し、躯体１内に挿入される側を前方、反対側を後方とする。
【００３０】
吊りビーム２１の中央部上方から前方にハンガー金具２２を設ける。ハンガー金具２２は角鋼管で構成され、その垂直部２２ａと水平部２２ｂとにより側面視が倒立Ｌの字形に形成され、吊りビーム２１に一体に溶着され、その全体の側面視か略ユの字形を成している。
【００３１】
ハンガー金具２２の水平部２２ｂは上階３の床梁３ａに載せられ、その垂直部２２ａは吊りビーム２１が必要以上に躯体１内に挿入されないようにするストッパーとなり、それらが上階３の床梁３ａに接触するため、その内方にはゴム板のような弾性体を貼着して床梁３ａの傷付きを防止する。
【００３２】
吊りビーム２１の後端にバランスウェイト２３を固定して設ける。バランスウェイト２３は、吊り治具２０が空荷状態で吊りビーム２１を水平状態に保つためのもので、ハンガー金具２２を吊りビーム２１の前方に設けたことにより、重心位置が吊りビーム２１の中心より前方となるのを、後方寄りとする。
【００３３】
吊りビーム２１のハンガー金具２２より後方の上方に一対のワイヤー吊環２４，２４を設ける。一対のワイヤー吊環２４，２４は、空荷状態の吊り治具２０の重心位置を挟んで対称に設け、ワイヤー吊環２４，２４を吊りワイヤー１２で吊ると、吊りワイヤー１２は重心位置の直上となる。
【００３４】
なお、バランスウェイト２３を軽量化又は省略して、一対のワイヤー吊環２４，２４を空荷状態の吊り治具２０の重心位置より後方とし、空荷状態の吊り治具２０を前方下がりとし、吊り荷４２の位置を後方寄りに調節して吊り治具２０を水平状態とすることも可能である。しかし、吊り荷４２を外すと吊り治具２０が前方下がりに傾いてハンガー金具２２が床梁３ａから離れがたくなり、作業性が悪くなる。
【００３５】
吊りビーム２１を走行レールとして横行する横行トロリー３０は、吊りビーム２１の下面を挟んで設けられ、横行トロリー３０の上部内方に自由に回転する横行ローラー３０ａを設け、横行ローラー３０ａは吊りビーム２１の下面の上を走行する。
【００３６】
横行トロリー３０の下端にはリング状の吊り環３６を設け、吊り環３６にチェーンブロック４１を介して吊り荷４２を吊る。
【００３７】
吊りビーム２１の前方に横行ウィンチ３２を、吊りビーム２１の後方側面にスプロケット支持金物３８を設ける。横行ウィンチ３２の側方の出力軸にスプロケット３７をはめ込んで固定し、スプロケット支持金物３８に自由に回転するスプロケット３９を設け、両スプロケット３７，３９の間に一本の横行チェーン３１を掛け渡し、横行チェーン３１の両端を横行トロリー３０の上部両端に止着する。
【００３８】
横行ウィンチ３２はウォーム減速機のように出力軸が外力によっては回転しないもので、通常は横行チェーン３１を回行させずに横行トロリー３０を固定する。横行ウィンチ３２が回転すると、横行チェーン３１が回行し、横行トロリー３０が横行する。
【００３９】
スプロケット支持金物３８はそのネジにより両スプロケット３７，３９間の距離を調節し、横行チェーン３１を緊張状態に保つ。
【００４０】
横行ウィンチ３２の前方の入力軸に横行ロープ車３３および横行ハンドル３４をはめ込んで固定する。横行ロープ車３３又は横行ハンドル３４を回すことにより横行ウィンチ３２が回転し、横行トロリー３０が吊りビーム２１を横行する。
【００４１】
横行ロープ車３３にはリング状の横行ロープ３５を掛け下げ、横行ロープ３５の片側を引き下げると横行ロープ車３３が回転し、横行トロリー３０が横行する。
【００４２】
次に、吊り治具２０を使用して建築中の躯体１に建設資材等の吊り荷４２を搬入する方法について説明する。
【００４３】
吊り荷４２を吊り上げるには、図２に示すように、横行ロープ３５を引き下げるか横行ハンドル３４を回して、吊り治具２０の横行トロリー３０を吊りワイヤー１２の直下の重心位置である所定位置とし、横行トロリー３０にチェーンブロック４１を介して吊り荷４２を吊る。
【００４４】
この、吊り荷４２を吊っているときに、横行トロリー３０を横行させる横行チェーン３１により、横行トロリー３０は所定位置に固定されるから、吊り荷４２が移動する恐れがなく、安全である。
【００４５】
図１に示すように、吊り上げた吊り治具２０の吊りビーム２１の前方を搬入階２に挿入し、ハンガー金具２２の水平部２２ｂは上階３に挿入する。その際、搬入階２の作業者が横行ロープ３５を引いて導くと、容易に安全に挿入できる。
【００４６】
ハンガー金具２２の水平部２２ｂを所定深さまで挿入し、少しクレーンフック１１を下ろし、水平部２２ｂを上階３の床梁３ａに載せる。
【００４７】
この、吊りビーム２１の中央部上方から前方にハンガー金具２２を設け、吊りビーム２１のハンガー金具２２より後方の上方にワイヤー吊環２４，２４を設け、ハンガー金具２２を躯体１の上階３に載せたとき、吊りワイヤー１２等が躯体１に接近しないから、安全に作業できる。
【００４８】
また、吊り治具２０が空荷状態で、吊りビーム２１を水平状態に保つバランスウェイト２３を吊りビーム２１の後端に設け、ワイヤー吊環２４，２４を空荷状態の吊り治具２０の重心位置に設け、更にクレーンブーム１０の先端やクレーンフック１１および吊りワイヤー１２が躯体１から離れるから、躯体１の上階にベランダ４等の張出部分があっても接触する恐れがなく、安全に作業できる。
【００４９】
横行ロープ３５を引き下げて横行トロリー３０を矢印Ｆ方向に横行させ、吊り荷４２を搬入階２に搬入する。
【００５０】
このとき、ハンガー金具２２を躯体１の上階３に載せてから横行トロリー３０を横行させるようにし、吊り治具２０が傾くことがないから、安全に作業できる。
【００５１】
また、横行チェーン３１を回行させる横行ウィンチ３２を吊りビーム２１の前方に設け、横行ウィンチ３２の横行ロープ車３３を回すことにより横行トロリー３０が吊りビーム２１を横行し、吊りビーム２１の前方の横行ロープ車３３を回すと吊り荷４２が移動するから、作業者が躯体１内の搬入階２に居たまま操作して吊り荷４２を引き入れることができ、安全である。
【００５２】
搬入位置まで横行トロリー３０が来たら、チェーンブロック４１を矢印Ｄ方向に下げて吊り荷４２を搬入階２の床梁２ａに降ろす。
【００５３】
このとき、吊り治具２０が空荷状態で、吊りビーム２１を水平状態に保つバランスウェイト２３を吊りビーム２１の後端に設け、ワイヤー吊環２４，２４を空荷状態の吊り治具２０の重心位置に設け、吊り荷４２を吊り治具２０から外しても重心位置を吊りワイヤー１２が吊っているため傾くことがないから、安全である。なお、チェーンブロック４１を吊り荷４２から外すのも容易となる。
【００５４】
横行トロリー３０を所定位置に戻し、同様の作業を繰り返すことにより、各階に建設資材を搬入できる。
【００５５】
また、逆の手順により、建設資材を搬出できる。
【００５６】
次に、図１１に示す、建設中の躯体１の壁際にカーテンウォール４３を取り付ける場合について説明する。
【００５７】
この場合、吊り治具２０は、横行ロープ３５は使用しないので取り外す以外、同じものを使用する。
【００５８】
吊り治具２０を使用して建設中の躯体１の壁際にカーテンウォール４３を取り付ける方法は、大略前記吊り荷４２を搬入する方法と同じであるので、異なる部分を主に説明する。
【００５９】
図１１に示すように、吊り上げた吊り治具２０の吊りビーム２１の前方を上階３に挿入し、吊りビーム２１の前端を上階３の床梁３ａに載せる。
【００６０】
上階３の作業者が横行ハンドル３４を回して横行トロリー３０を矢印Ｆ方向に横行させ、カーテンウォール４３を搬入階２に引き寄せる。
【００６１】
このとき、横行チェーン３１を回行させる横行ウィンチ３２を吊りビーム２１の前方に設け、横行ウィンチ３２の横行ハンドル３４を回すことにより横行トロリー３０が吊りビーム２１を横行し、吊りビーム２１の前方の横行ハンドル３４を回すとカーテンウォール４３が移動するから、作業者が躯体１内の上階３に居たまま操作してカーテンウォール４３を引き寄せることができ、安全である。
【００６２】
取り付け位置までカーテンウォール４３が来たら、チェーンブロック４１を矢印Ｄ方向に下げて取り付ける。
【００６３】
このとき、吊り治具２０が空荷状態で、吊りビーム２１を水平状態に保つバランスウェイト２３を吊りビーム２１の後端に設け、ワイヤー吊環２４，２４を空荷状態の吊り治具２０の重心位置に設け、カーテンウォール４３を吊り治具２０から外しても重心位置を吊りワイヤー１２が吊っているため傾くことがないから、安全である。なお、チェーンブロック４１をカーテンウォール４３から外すのも容易となる。
【００６４】
横行トロリー３０を所定位置に戻し、同様の作業を繰り返すことにより、各階にカーテンウォール４３を取り付けできる。
【００６５】
次に、図１２に示す、クライミングクレーン５０に水平材４４を取り付ける場合について説明する。
【００６６】
この場合、吊り治具２０は、横行ロープ３５は使用しないので取り外す以外、同じものを使用する。
【００６７】
吊り治具２０を使用してクライミングクレーン５０に水平材４４を取り付ける方法は、大略前記吊り荷４２を搬入する方法と同じであるので、異なる部分を主に説明する。
【００６８】
図１２に示すように、吊り上げた吊り治具２０の吊りビーム２１の前方をクライミングクレーン５０に挿入し、吊りビーム２１の前端をクライミングクレーン５０のポスト横桟５１に載せる。
【００６９】
ポスト横桟５１の作業者が横行ハンドル３４を回して横行トロリー３０を矢印Ｆ方向に横行させ、水平材４４をクライミングクレーン５０に引き寄せる。
【００７０】
このとき、横行チェーン３１を回行させる横行ウィンチ３２を吊りビーム２１の前方に設け、横行ウィンチ３２の横行ハンドル３４を回すことにより横行トロリー３０が吊りビーム２１を横行し、吊りビーム２１の前方の横行ハンドル３４を回すと水平材４４が移動するから、作業者がクライミングクレーン５０のポスト横桟５１に居たまま操作して水平材４４を引き寄せることができ、安全である。
【００７１】
取り付け位置まで水平材４４が来たら、チェーンブロック４１を矢印Ｄ方向に下げて取り付ける。
【００７２】
このとき、吊り治具２０が空荷状態で、吊りビーム２１を水平状態に保つバランスウェイト２３を吊りビーム２１の後端に設け、ワイヤー吊環２４，２４を空荷状態の吊り治具２０の重心位置に設け、水平材４４を吊り治具２０から外しても重心位置を吊りワイヤー１２が吊っているため傾くことがないから、安全である。なお、チェーンブロック４１を水平材４４から外すのも容易となる。
【００７３】
横行トロリー３０を所定位置に戻し、同様の作業を繰り返すことにより、各階に水平材４４を取り付けできる。
【００７４】
また、逆の手順により、水平材４４を取り外すことができる。
【００７５】
以上の実施例では、ハンガー金具２２と吊りビーム２１とが一体な例を示したが、ハンガー金具２２が吊りビーム２１にボルト止めされ、取り外し可能としたり、位置を変更可能としても良い。
【００７６】
また、横行ウィンチ３２をウォーム減速機とし人手で回す例を示したが、ブレーキ付の電動モーターと平歯車の減速機としても良い。
【００７７】
【発明の効果】
請求項１の発明によれば、吊りビームの中央部上方から前方にハンガー金具を設け、吊りビームのハンガー金具より後方の上方にワイヤー吊環を設け、ハンガー金具を躯体の上階に載せたとき、吊りワイヤー等が躯体に接近しないから、安全に作業できる。
【００７８】
また、吊り荷を吊っているときに、横行トロリーを横行させる横行チェーンにより、横行トロリーは所定位置に固定されるから、吊り荷が移動する恐れがなく、安全である。
【００７９】
また、ハンガー金具を躯体の上階に載せてから横行トロリーを横行させるようにし、吊り治具が傾くことがないから、安全に作業できる。
【００８０】
請求項２の発明によれば、横行チェーンを回行させる横行ウィンチを吊りビームの前方に設け、横行ウィンチの横行ロープ車又は横行ハンドルを回すことにより横行トロリーが吊りビームを横行し、吊りビームの前方の横行ロープ車又は横行ハンドルを回すと吊り荷が移動するから、作業者が躯体内に居たまま操作して吊り荷を引き入れたり引き寄せることができ、安全である。
【００８１】
請求項３の発明によれば、吊り治具が空荷状態で、吊りビームを水平状態に保つバランスウェイトを吊りビームの後端に設け、ワイヤー吊環を空荷状態の吊り治具の重心位置に設け、更に吊りワイヤー等が躯体から離れから、躯体の上階に張出部分があっても接触する恐れがなく、安全に作業できる。
【００８２】
また、吊り荷を吊り治具から外しても重心位置を吊りワイヤーが吊っているため傾くことがないから、安全である。
【図面の簡単な説明】
【図１】吊り治具の一実施例を示す側面図である。
【図２】その吊り荷を吊った状態を示す図である。
【図３】図１の要部を示す部分拡大図である。
【図４】図３の平面図である。
【図５】図３の横行ウィンチ部を示す部分拡大図である。
【図６】図４の横行ウィンチ部を示す部分拡大図である。
【図７】図５の正面図である。
【図８】図３の横行トロリー部を示す部分拡大図である。
【図９】図４のＡ−Ａに沿う拡大断面図である。
【図１０】図４のスプロケット支持金物部を示す部分拡大図である。
【図１１】吊り治具の一実施例によりカーテンウォールを取り付ける例を示す側面図である。
【図１２】吊り治具の一実施例によりクライミングクレーンに水平材を取り付ける例を示す側面図である。
【図１３】吊り治具の従来例を示す側面図である。
【図１４】図１３の吊り荷を降ろした状態を示す図である。
【符号の説明】
１  躯体
３  上階
１２  吊りワイヤー
２０  吊り治具
２１  吊りビーム
２２  ハンガー金具
２３  バランスウェイト
２４  ワイヤー吊環
３０  横行トロリー
３１  横行チェーン
３２  横行ウィンチ
３３  横行ロープ車
３４  横行ハンドル
４２  荷としての吊り荷
【図１】
2004155538.tif 000003
【図２】
2004155538.tif 000004
【図３】
2004155538.tif 000005
【図４】
2004155538.tif 000006
【図５】
2004155538.tif 000007
【図６】
2004155538.tif 000008
【図７】
2004155538.tif 000009
【図８】
2004155538.tif 000010
【図９】
2004155538.tif 000011
【図１０】
2004155538.tif 000012
【図１１】
2004155538.tif 000013
【図１２】
2004155538.tif 000014
【図１３】
2004155538.tif 000015
【図１４】
2004155538.tif 000016